【手続補正書】
【提出日】平成16年4月14日(2004.4.14)
【手続補正１】
【補正対象書類名】明細書
【補正対象項目名】特許請求の範囲
【補正方法】変更
【補正の内容】
【特許請求の範囲】
【請求項１】
下記一般式(1)
【化1】
1998095775.tif 000001
(式中R1は炭素数5乃至10のアルキル基を表し、式中R2は炭素数3乃至10のアルキル基、あるいは炭素数１乃至３の分岐基を有する総炭素数４乃至１２のアルキル基を表し、式中R3はフッ素原子、あるいはトリフルオロメチル基を表し、式中R4はメチル基、フッ素原子、あるいはトリフルオロメチル基を表し、式中l、m、pはそれぞれ独立に0又は1を表し、式中Xは−(CH2)q−O−、−OCO−、あるいは−CO2−を表し、式中Yは−OCO−、−CO2−、あるいは−O−(CH2)n−を表し、前記n及び前記qはそれぞれ独立に1又は2を表す。但し、前記pが1の場合、前記Xが−(CH2)q−O−であれば前記R3はフッ素原子を表し、また、前記ｐが１の場合、前記Yが−O−(CH2)n−であれば前記R4はフッ素原子を表す。また、前記pが0の場合、前記Xが−(CH2)q−O−又は−CO2−で、前記Yが−OCO−又は−O−(CH2)n−のときは、前記R3と前記R4は少なくとも一方はフッ素原子ではない。式中C*は不斉炭素原子を表す。)で表される光学活性化合物。
【請求項２】
下記一般式(1)
【化1】
1998095775.tif 000002
(式中R1は炭素数5乃至10のアルキル基を表し、式中R2は炭素数3乃至10のアルキル基、あるいは炭素数１乃至３の分岐基を有する総炭素数４乃至１２のアルキル基を表し、式中R3はフッ素原子、あるいはトリフルオロメチル基を表し、式中R4はメチル基、フッ素原子、あるいはトリフルオロメチル基を表し、式中l、m、pはそれぞれ独立に0又は1を表し、式中Xは−(CH2)q−O−、−OCO−、あるいは−CO2−を表し、式中Yは−OCO−、−CO2−、あるいは−O−(CH2)n−を表し、前記n及び前記qはそれぞれ独立に1又は2を表す。但し、前記pが1の場合、前記Xが−(CH2)q−O−であれば前記R3はフッ素原子を表し、また、前記ｐが１の場合、前記Yが−O−(CH2)n−であれば前記R4はフッ素原子を表す。また、前記pが0の場合、前記Xが−(CH2)q−O−で、前記Yが−OCO−のときは、前記R3はフッ素原子を表し、前記R4はフッ素原子ではない。式中C*は不斉炭素原子を表す。)で表される光学活性化合物。
【請求項３】
下記一般式(1)
【化1】
1998095775.tif 000003
(式中R1は炭素数5乃至10のアルキル基を表し、式中R2は炭素数3乃至10のアルキル基、あるいは炭素数１乃至３の分岐基を有する総炭素数４乃至１２のアルキル基を表し、式中R3はフッ素原子、あるいはトリフルオロメチル基を表し、式中R4はメチル基、フッ素原子、あるいはトリフルオロメチル基を表し、式中l、m、pはそれぞれ独立に0又は1を表し、式中Xは−(CH2)q−O−、−OCO−、あるいは−CO2−を表し、式中Yは−OCO−、−CO2−、あるいは−O−(CH2)n−を表し、前記n及び前記qはそれぞれ独立に1又は2を表す。但し、前記pが1の場合、前記Xが−(CH2)q−O−であれば前記R3はフッ素原子を表し、また、前記ｐが１の場合、前記Yが−O−(CH2)n−であれば前記R4はフッ素原子を表す。また、前記pが0の場合、前記Xが−(CH2)q−O−で、前記Yが−OCO−のときは、前記R3はフッ素原子を表し、前記R4はフッ素原子ではない。また、前記ｐが１の場合、前記Xが−OCO−で、前記Yが−OCO−のときは、前記R3はフッ素原子ではなく、且つ前記R4もフッ素原子ではない。また、前記ｐが１の場合、前記Xが−CO2−で、前記Yが−OCO−のときは、前記R3はフッ素原子を表し、前記R4はフッ素原子ではない。式中C*は不斉炭素原子を表す。)で表される光学活性化合物。
【請求項４】
下記一般式(1)
【化1】
1998095775.tif 000004
(式中R1は炭素数5乃至10のアルキル基を表し、式中R2は炭素数3乃至10のアルキル基、あるいは炭素数１乃至３の分岐基を有する総炭素数４乃至１２のアルキル基を表し、式中R3はフッ素原子、あるいはトリフルオロメチル基を表し、式中R4はメチル基、フッ素原子、あるいはトリフルオロメチル基を表し、式中l、m、pはそれぞれ独立に0又は1を表し、式中Xは−(CH2)q−O−、−OCO−、あるいは−CO2−を表し、式中Yは−OCO−、−CO2−、あるいは−O−(CH2)n−を表し、前記n及び前記qはそれぞれ独立に1又は2を表す。但し、前記pが1の場合、前記Xが−(CH2)q−O−であれば前記R3はフッ素原子を表し、また、前記ｐが１の場合、前記Yが−O−(CH2)n−であれば前記R4はフッ素原子を表す。また、前記pが0の場合、前記Xが−(CH2)q−O−又は−CO2−で、前記Yが−OCO−又は−O−(CH2)n−のときは、前記R3と前記R4は少なくとも一方はフッ素原子ではない。式中C*は不斉炭素原子を表す。)で表される光学活性化合物を少なくとも1種含有する反強誘電性液晶組成物。
【請求項５】
下記一般式(1)
【化1】
1998095775.tif 000005
(式中R1は炭素数5乃至10のアルキル基を表し、式中R2は炭素数3乃至10のアルキル基、あるいは炭素数１乃至３の分岐基を有する総炭素数４乃至１２のアルキル基を表し、式中R3はフッ素原子、あるいはトリフルオロメチル基を表し、式中R4はメチル基、フッ素原子、あるいはトリフルオロメチル基を表し、式中l、m、pはそれぞれ独立に0又は1を表し、式中Xは−(CH2)q−O−、−OCO−、あるいは−CO2−を表し、式中Yは−OCO−、−CO2−、あるいは−O−(CH2)n−を表し、前記n及び前記qはそれぞれ独立に1又は2を表す。但し、前記pが1の場合、前記Xが−(CH2)q−O−であれば前記R3はフッ素原子を表し、また、前記ｐが１の場合、前記Yが−O−(CH2)n−であれば前記R4はフッ素原子を表す。また、前記pが0の場合、前記Xが−(CH2)q−O−で、前記Yが−OCO−のときは、前記R3はフッ素原子を表し、前記R4はフッ素原子ではない。式中C*は不斉炭素原子を表す。) で表される光学活性化合物を少なくとも1種含有する反強誘電性液晶組成物。
【請求項６】
下記一般式(1)
【化1】
1998095775.tif 000006
(式中R1は炭素数5乃至10のアルキル基を表し、式中R2は炭素数3乃至10のアルキル基、あるいは炭素数１乃至３の分岐基を有する総炭素数４乃至１２のアルキル基を表し、式中R3はフッ素原子、あるいはトリフルオロメチル基を表し、式中R4はメチル基、フッ素原子、あるいはトリフルオロメチル基を表し、式中l、m、pはそれぞれ独立に0又は1を表し、式中Xは−(CH2)q−O−、−OCO−、あるいは−CO2−を表し、式中Yは−OCO−、−CO2−、あるいは−O−(CH2)n−を表し、前記n及び前記qはそれぞれ独立に1又は2を表す。但し、前記pが1の場合、前記Xが−(CH2)q−O−であれば前記R3はフッ素原子を表し、また、前記ｐが１の場合、前記Yが−O−(CH2)n−であれば前記R4はフッ素原子を表す。また、前記pが0の場合、前記Xが−(CH2)q−O−で、前記Yが−OCO−のときは、前記R3はフッ素原子を表し、前記R4はフッ素原子ではない。また、前記ｐが１の場合、前記Xが−OCO−で、前記Yが−OCO−のときは、前記R3はフッ素原子ではなく、且つ前記R4もフッ素原子ではない。また、前記ｐが１の場合、前記Xが−CO2−で、前記Yが−OCO−のときは、前記R3はフッ素原子を表し、前記R4はフッ素原子ではない。式中C*は不斉炭素原子を表す。)で表される光学活性化合物を少なくとも1種含有する反強誘電性液晶組成物。
【請求項７】
前記一般式（１）で示される前記反強誘電性液晶化合物が、１乃至８０重量％で含まれていることを特徴とする請求項４乃至請求項６のいずれか１項に記載の反強誘電性液晶組成物。